(57)【要約】【課題】  仕切用弱シール部が剥離されない状態にて、薬液が投与されることがなく、かつ、容易な操作で投与準備を行うことができる医療用複室容器を提供する。【解決手段】  医療用複室容器１は、可撓性材料により作製され、内部空間が剥離可能な仕切用弱シール部９により第１の薬剤室２１と第２の薬剤室２２に区分された容器本体２と、第１の薬剤室２１の下端部と連通する排出ポート３と、第１の薬剤室２１に収納された第１の薬剤と、第２の薬剤室２２に収納された第２の薬剤とを備える医療用複室容器１であって、仕切用弱シール部９は、第１の弱シール部９ａとこの第１の弱シール部９ａより剥離しにくい第２の弱シール部９ｂとを備え、さらに、医療用複室容器１は、第１の薬剤室２１と排出ポート３との連通を阻害する連通阻害用弱シール部１１とを備えている。【選択図】    図１
2006043061.tif 000002
【特許請求の範囲】
【請求項１】
可撓性材料により作製され、内部空間が剥離可能な仕切用弱シール部により第１の薬剤室と第２の薬剤室に区分された容器本体と、前記第１の薬剤室の下端部と連通する排出ポートと、前記第１の薬剤室に収納された第１の薬剤と、前記第２の薬剤室に収納された第２の薬剤とを備える医療用複室容器であって、前記仕切用弱シール部は、第１の弱シール部と該第１の弱シール部より剥離しにくい第２の弱シール部とを備え、さらに、前記医療用複室容器は、前記第１の薬剤室と前記排出ポートとの連通を阻害する連通阻害用弱シール部とを備えていることを特徴とする医療用複室容器。
【請求項２】
前記第１の弱シール部のシール強度は、前記第２の弱シールのシール強度より小さいものとなっている請求項１に記載の医療用複室容器。
【請求項３】
前記第１の弱シール部と前記第２の弱シール部のシール強度差３〜３０Ｎ／１０ｍｍである請求項１または２に記載の医療用複室容器。
【請求項４】
前記第１の弱シール部は、前記連通阻害用弱シール部の上方となるように設けられている請求項１ないし３のいずれかに記載の医療用複室容器。
【請求項５】
前記第２の弱シール部は、前記第１の弱シール部の両側に設けられている請求項１ないし４のいずれかに記載の医療用複室容器。
【請求項６】
前記第２の薬剤室に収容される第２の薬剤が、液剤である請求項１ないし５のいずれかに記載の医療用複室容器。
【請求項７】
前記第１の弱シール部は、前記第１の薬剤室もしくは前記第２の薬剤室を押圧することにより剥離可能なものであり、かつ前記第２の弱シール部は前記第１の薬剤室もしくは前記第２の薬剤室を押圧することにより実質的に剥離しないものであるとともに引き剥がし可能なものである請求項１ないし６のいずれかに記載の医療用複室容器。
【請求項８】
前記医療用複室容器は、前記第１の薬剤室もしくは前記第２の薬剤室を押圧することにより、前記第１の弱シール部の剥離と同時もしくは続いて前記連通阻害用弱シール部が剥離するものである請求項１ないし７のいずれかに記載の医療用複室容器。
【請求項９】
前記容器本体の前記第１の薬剤室の横方向の長さ（Ｌｂ）に対する前記第１の弱シール部の横方向の長さ（Ｌａ）の比（Ｌａ／Ｌｂ）は、０．２〜０．８である請求項１ないし８のいずれかに記載の医療用複室容器。
【請求項１０】
前記医療用複室容器は、前記連通阻害用弱シール部の上端と前記排出ポートの上端との間の長さ（Ｌｃ）に対する前記第１の弱シール部の横方向の長さ（Ｌａ）の比（Ｌａ／Ｌｃ）は、０．２〜３である請求項１ないし９のいずれかに記載の医療用複室容器。
【請求項１１】
前記連通阻害用弱シール部のシール強度は、前記第１の弱シール部のシール強度とほぼ同じ若しくは若干小さい若しくは若干大きいものであり、かつ前記第２の弱シール部のシール強度より小さくなっている請求項１ないし１０のいずれかに記載の医療用複室容器。
【請求項１２】
前記第１の弱シール部は、第２の弱シール部より幅が狭く作製されている請求項１ないし１１のいずれかに記載の医療用複室容器。
【請求項１３】
前記仕切用弱シール部及び前記連通阻害用弱シール部は、熱シールにより作製されている請求項１ないし１２のいずれかに記載の医療用複室容器。
【発明の詳細な説明】
【技術分野】
【０００１】
本発明は、剥離可能な弱シール部により２つの薬剤室に区分されるとともに、各薬剤室に薬剤が充填された医療用複室容器に関する。
【背景技術】
【０００２】
患者に静脈より栄養成分を投与する薬剤の中には、予め配合すると経時的変化を起こしやすい不安定な薬剤がある。例えば、あらかじめアミノ酸液とブドウ糖液を配合して保存すると、メイラード反応によって混合液が着色（褐変）する。また、カルシウム化合物はリン酸化合物と配合すると、高いｐＨの液剤中ではリン酸カルシウムの沈殿を生じ、製品価値が著しく低下してしまうことになる。このような薬剤を患者に投与する場合、例えば、特許第２６７５０７５号（特許文献１）のように混合前の成分を個別に収納する医療用複室容器を用い、投与直前に混合してから投与するようになってきている。
この医療用複室容器は、異なる成分の薬剤を個別に収納する複数の室と、各室間を仕切、外部からの圧力により剥離開封する仕切用弱シールとを備えている。
しかしながら、前記医療用複数容器は排出口側の収納部に液剤を収納している場合が多く、仕切用弱シールを剥離せずに、ゴム栓に瓶針を刺入し、排出口から液剤を取り出すという可能性がある。
このため、確実に各収納部に収納されている薬剤を混合した後に患者に投与することを保証し、薬剤を誤って混合しないで患者に投与する事故を確実に防止する方法が工夫されており、例えば、特開平９−３２７４９８号（特許文献２）や特開２００２−１３６５７０号（特許文献３）のように薬剤排出口と薬剤を収納する分室との間を区切る連通阻害用弱シール部を備える複室容器が提案されている。
【０００３】
【特許文献１】特許第２６７５０７５号公報
【特許文献２】特開平９−３２７４９８号公報
【特許文献３】特開２００２−１３６５７０号公報
【発明の開示】
【発明が解決しようとする課題】
【０００４】
特許文献２および３に示すものでは、仕切用弱シール部を剥離せずに、栓体に瓶針を刺入し、排出口から液剤を取り出すという可能性がかなり少ないものとなる。しかし、薬剤を収納する分室を仕切る仕切用弱シール部と薬剤排出口と薬剤を収納する分室との間を仕切る連通阻害用弱シール部の複数の弱シールを備えるため、仕切用弱シール部を剥離し、薬剤を混合後、連通阻害用弱シール部を剥離することが必要となる。このため、投与準備に手間がかかるものであった。
本発明の目的は、剥離可能な仕切用弱シール部により２つの薬剤室に区分されるとともに、薬剤室に薬剤が充填された医療用複室容器において、仕切用弱シール部が剥離されない状態にて、薬液が投与されることがなく、かつ、容易な操作で投与準備を行うことができる医療用複室容器を提供するものである。
【課題を解決するための手段】
【０００５】
上記目的を達成するものは、以下のものである。
（１）  可撓性材料により作製され、内部空間が剥離可能な仕切用弱シール部により第１の薬剤室と第２の薬剤室に区分された容器本体と、前記第１の薬剤室の下端部と連通する排出ポートと、前記第１の薬剤室に収納された第１の薬剤と、前記第２の薬剤室に収納された第２の薬剤とを備える医療用複室容器であって、前記仕切用弱シール部は、第１の弱シール部と該第１の弱シール部より剥離しにくい第２の弱シール部とを備え、さらに、前記医療用複室容器は、前記第１の薬剤室と前記排出ポートとの連通を阻害する連通阻害用弱シール部とを備えている医療用複室容器。
【０００６】
（２）  前記第１の弱シール部のシール強度は、前記第２の弱シールのシール強度より小さいものとなっている（１）に記載の医療用複室容器。
（３）  前記第１の弱シール部と前記第２の弱シール部のシール強度差は、３〜３０Ｎ／１０ｍｍである（１）または（２）に記載の医療用複室容器。
（４）  前記第１の弱シール部は、前記連通阻害用弱シール部の上方となるように設けられている（１）ないし（３）のいずれかに記載の医療用複室容器。
（５）  前記第２の弱シール部は、前記第１の弱シール部の両側に設けられている（１）ないし（４）のいずれかに記載の医療用複室容器。
（６）  前記第２の薬剤室に収容される第２の薬剤が、液剤である（１）ないし（５）のいずれかに記載の医療用複室容器。
（７）  前記第１の弱シール部は、前記第１の薬剤室もしくは前記第２の薬剤室を押圧することにより剥離可能なものであり、かつ前記第２の弱シール部は前記第１の薬剤室もしくは前記第２の薬剤室を押圧することにより実質的に剥離しないものであるとともに引き剥がし可能なものである（１）ないし（６）のいずれかに記載の医療用複室容器。
（８）  前記医療用複室容器は、前記第１の薬剤室もしくは前記第２の薬剤室を押圧することにより、前記第１の弱シール部の剥離と同時もしくは続いて前記連通阻害用弱シール部が剥離するものである（１）ないし（７）のいずれかに記載の医療用複室容器。
【０００７】
（９）  前記容器本体の前記第１の薬剤室の横方向の長さ（Ｌｂ）に対する前記第１の弱シール部の横方向の長さ（Ｌａ）の比（Ｌａ／Ｌｂ）は、０．２〜０．８である（１）ないし（８）のいずれかに記載の医療用複室容器。
（１０）  前記医療用複室容器は、前記連通阻害用弱シール部の上端と前記排出ポートの上端との間の長さ（Ｌｃ）に対する前記第１の弱シール部の横方向の長さ（Ｌａ）の比（Ｌａ／Ｌｃ）は、０．２〜３である（１）ないし（９）のいずれかに記載の医療用複室容器。
（１１）  前記連通阻害用弱シール部のシール強度は、前記第１の弱シール部のシール強度とほぼ同じ若しくは若干小さい若しくは若干大きいものであり、かつ前記第２の弱シール部のシール強度より小さくなっている（１）ないし（１０）のいずれかに記載の医療用複室容器。
（１２）  前記第１の弱シール部は、第２の弱シール部より幅が狭く作製されている（１）ないし（１１）のいずれかに記載の医療用複室容器。
（１３）  前記仕切用弱シール部及び前記連通阻害用弱シール部は、熱シールにより作製されている（１）ないし（１２）のいずれかに記載の医療用複室容器。
【発明の効果】
【０００８】
本発明は、可撓性材料により作製され、内部空間が剥離可能な仕切用弱シール部により第１の薬剤室と第２の薬剤室に区分された容器本体と、前記第１の薬剤室の下端部と連通する排出ポートと、前記第１の薬剤室に収納された第１の薬剤と、前記第２の薬剤室に収納された第２の薬剤とを備える医療用複室容器であって、前記仕切用弱シール部は、第１の弱シール部と該第１の弱シール部より剥離しにくい第２の弱シール部とを備え、さらに、前記医療用複室容器は、前記第１の薬剤室と前記排出ポートとの連通を阻害する連通阻害用弱シール部とを備えている。
このため、本発明は、第１の薬剤と第２の薬剤が混合される前に、薬剤が投与されることがなく、かつ容易な操作で投与準備を行うことができる医療用複室容器を提供することができる。
【発明を実施するための最良の形態】
【０００９】
本発明の医療用複室容器について、図面に示す実施例を用いて説明する。
図１は、本発明の医療用複室容器の一実施例の平面図である。なお、図中の上側を「上端」、下側を「下端」として説明する。
本発明の医療用複室容器１は、可撓性材料により作製され、内部空間が剥離可能な仕切用弱シール部９により第１の薬剤室２１と第２の薬剤室２２に区分された容器本体２と、第１の薬剤室２１の下端部と連通する排出ポート３と、第１の薬剤室２１に収納された第１の薬剤と、第２の薬剤室２２に収納された第２の薬剤とを備える医療用複室容器１である。仕切用弱シール部９は、第１の弱シール部９ａと、第１の弱シール部９ａより剥離しにくい第２の弱シール部９ｂとを備える。さらに、医療用複室容器１は、第１の薬剤室２１と排出ポート３との連通を阻害する連通阻害用弱シール部１１を備えている。
そして、この実施例の医療用複室容器１では、仕切用弱シール部９は、第１の弱シール部９ａと、第１の弱シール部９ａの両側に設けられ第１の弱シール部９ａより剥離しにくい第２の弱シール部９ｂを備えている。
【００１０】
実施例の医療用複室容器１は、図１に示すように、シート状筒状体により形成された容器本体２を備え、この容器本体２には、内部収納部を区画する仕切用弱シール部９が形成されており、収納部は、第１の薬剤室２１と第２の薬剤室２２に区画されている。
また、図１に示すように、容器本体２の上端側に設けられたシール部５と下端側に設けられたシール部６を備える。また、実施例の医療用複室容器１では、第１の薬剤室２１側に設けられた薬剤排出ポート３を備えている。さらに、この実施例の医療用複室容器１では、第２の薬剤室２２側に設けられた薬剤注入ポート４を備えている。
【００１１】
医療用複室容器１の容器本体２は、軟質合成樹脂により形成されている。容器本体２は、インフレーション成形法により筒状に成形されたものが好ましい。なお、容器本体２は、例えば、ブロー成形法、共押出インフレーション法などの種々の方法により製造されたものでもよい。また、容器本体２は、上記のような筒状体の外周部の全周(４辺)をシールしたもの、２枚のシート材を重ねその外周部全周をシールしたもの、一枚のシートを２つ折りし、折り曲げ部以外の３辺をシールしたものなどの袋状物であってもよい。また、容器本体２の上端側のシール部５のほぼ中央部には、医療用複室容器１をハンガー等に吊り下げるための孔２５が設けられている。
容器本体２は、水蒸気バリヤー性を有することが好ましい。水蒸気バリヤー性の程度としては、水蒸気透過度が、５０ｇ／ｍ２・２４ｈｒｓ・４０℃・９０％ＲＨ以下であることが好ましく、より好ましくは１０ｇ／ｍ２・２４ｈｒｓ・４０℃・９０％ＲＨ以下であり、さらに好ましくは１ｇ／ｍ２・２４ｈｒｓ・４０℃・９０％ＲＨ以下である。この水蒸気透過度は、ＪＩＳＫ７１２９（Ａ法）に記載の方法により測定される。
このように容器本体２が水蒸気バリヤー性を有することにより、医療用複室容器１の内部からの水分の蒸散が防止できる。その結果、充填される薬剤（具体的には、薬液）の減少、濃縮を防止することができる。また、医療用複室容器１の外部からの水蒸気の侵入も防止することができる。
【００１２】
このような容器本体２の形成材料として、ポリオレフィン類が含有されるとき、本発明の有用性が大きいものとなる。したがって、本発明においては、容器本体２の形成材料として、ポリオレフィン類を含むものであるのが好ましい。容器本体２の形成材料として、特に好ましいものとして、ポリエチレン（ＰＥ）、ポリプロピレン（ＰＰ）、ポリブタジエン、エチレン−酢酸ビニル共重合体（ＥＶＡ）のようなポリオレフィン類に、スチレン−ブタジエン共重合体やスチレン−エチレン−ブチレン−スチレンブロック共重合体等のスチレン系熱可塑性エラストマーあるいはエチレン−プロピレン共重合体やエチレン−ブテン共重合体，プロピレン−αオレフィン共重合体等のオレフィン系熱可塑性エラストマーをブレンドし柔軟化した軟質樹脂を用いてもよい。この材料は、高強度で柔軟性に富み、耐熱性（特に滅菌時の耐熱性）、耐水性が高い他、加工性が特に優れ、製造コストの低減を図ることができる点で好ましい。
さらに、上記のブレンド樹脂を用いる場合には、２種以上の融点の異なる材料を用いることになり、容器本体２の上端側のシール部５や下端側のシール部６、後述する仕切用弱シール部９および連通阻害用弱シール部１１の各シール条件の設定、各シール部分のシール強度の安定化を容易かつ良好に図ることができる。
【００１３】
また、容器本体は、前述したような材料よりなる単層構造のもの（単層体）であってもよいし、また種々の目的で、複数の層（特に異種材料の層）を重ねた多層積層体であってもよい。多層積層体の場合、複数の樹脂層を重ねたものであってもよいし、少なくとも１層の樹脂層に金属層を積層したものであってもよい。複数の樹脂層を重ねたものの場合、それぞれの樹脂の利点を併有することができ、例えば、容器本体２の耐衝撃性を向上させたり、耐ブロッキング性を付与したりすることができる。また、金属層を有するものの場合、容器本体２のガスバリヤー性等を向上させることができる。例えば、アルミ箔等のフィルムが積層された場合、ガスバリヤー性の向上とともに、遮光性を付与したりすることができる。また、酸化チタン、酸化アルミニウム、酸化ケイ素等の酸化物からなる層を形成した場合、ガスバリヤー性の向上とともに、容器本体２の透明性を維持することができ、内部の視認性を確保することができる。なお、容器本体２が多層積層体である場合、その内表面部分を形成する材料が、前述した材料であるのが好ましい。
容器本体２を構成するシート材の厚さは、その層構成や用いる素材の特性（柔軟性、強度、水蒸気透過性、耐熱性等）等に応じて適宜決定され、特に限定されるものではないが、通常は、１００〜５５０μｍ程度であるのが好ましく、２００〜４００μｍ程度であるのがより好ましい。
また、医療用複室容器１の容積は、内部に収納する薬剤の種類等によって異なるが、通常は、第１の薬剤室の容積が、５０〜３０００ｍＬ程度であることが好ましく、第２の薬剤室の容積が、５０〜３０００ｍＬ程度であることが好ましい。
【００１４】
第１の薬剤室２１と第２の薬剤室２２の容積比は１：１〜１：５であることが好ましい。このようにすることにより、第２の薬剤室を押圧したときの連通阻害用弱シール部への応力がより大きくでき、連通阻害用弱シール部の剥離がより確実になる。また、充填される流体量［薬剤およびヘッドスペース（気体）を含む］は、複室容器全容量（弱シール部を剥離し１室とした状態の容量）の２０〜５０容量％であると本発明の効果が一層顕著となる。輸液用バッグ等の医療用容器では、他の薬剤を混注することが行われる。このため医療用容器には、充填される流体量と同量〜数倍量の予備容量としてを見込んで製袋されている。仕切用弱シール部を有する医療用複室容器における流体量は、２０〜５０容量％程度であるが、このような少ない流体充填量であっても本発明によれば、第１の弱シール部および連通阻害用弱シール部への応力が掛かりやすく、両シール部を一度の開封操作でより確実に開けることができる。
【００１５】
このように薬剤室を第１の薬剤室２１と第２の薬剤室２２の２つに区分することにより、反応等による変質、劣化を生じる物質を含有する液体を使用するまでは別々に保存でき、使用に際し、両液を混合することが好ましいとき等に適用することができる。それぞれの薬剤室に収納される薬剤としては、薬液、散剤などが考えられる。特に、本発明の医療用複室容器では、第１の薬剤は、薬液であることが好ましい。第２の薬剤は、薬液もしくは散剤いずれであってもよい。好ましくは、薬液である。第１の薬剤および第２の薬剤の組合せとしては、例えば、輸液剤では、メーラード反応による着色を防止するために、アミノ酸電解質液とブドウ糖液との組合せとしたり、他に、ブドウ糖液と重曹液等の組み合わせ、また、腹膜透析液剤としてブドウ糖が配合される側のｐＨを３〜５とし、他方の電解質液を混合後、投薬時にほぼ中性域のｐＨとなるように調整したものなどが挙げられる。
なお、本発明において、第１の薬剤および第２の薬剤は、特に限定されず、例えば、生理食塩水、電解質溶液、リンゲル液、高カロリー輸液、ブドウ糖液、アミノ酸輸液、脂肪輸液、注射用水、腹膜透析液、経口・経腸栄養剤等、いかなるものであってもよい。
【００１６】
容器本体２の先端部には、第１の薬剤室２１に連通し得る薬剤排出ポート３が設けられている。薬剤排出ポート３は、下端側のシール部６の排出ポート固定部のシート材間に挟まれた状態にて融着され、容器本体２に対し密に固着されている。
薬剤排出ポート３は、容器本体２内に充填された薬剤を排出するためのものである。この実施例における排出ポート３は、図１に示すように、上端（第１の薬剤室側端部）が開口した筒状部材３ａと、筒状部材３ａの下端側に液密に取り付けられた薬剤排出用針により連通可能な連通部を備えている。連通部は、キャップ部材３ｂと、その後端開口を封止するとともに薬剤排出用針の刺通が可能な弾性部材３ｃとを備えている。連通部としては、このような形態のものに限定されるものではない。
また、薬剤注入ポート４は、容器本体２内に薬剤を注入するためのものである。この実施例における注入ポート４は、図１に示すように、下端（第２の薬剤室側端部）が開口した筒状部材４ａと、筒状部材の上端側に液密に取り付けられた薬剤注入用針により連通可能な連通部を備えている。連通部は、キャップ部材４ｂと、その後端開口を封止するとともに薬剤注入用針の刺通が可能な弾性部材４ｃとを備えている。連通部としては、このような形態のものに限定されるものではない。
【００１７】
弾性部材３ｃ、４ｃは、瓶針、カヌラ針等の針管（図示せず）を刺通可能なものであり、必要時にこの針管を刺通して、容器本体２内からの薬剤の排出もしくは容器本体２内への薬剤等の添加を行うことができる。また、弾性部材は、自己閉塞性を有し、針管を弾性部材から抜き取った後は、その穿刺孔が瞬時に閉塞し、薬剤の漏れを防止する。弾性部材の構成材料としては、スチレン系エラストマー、オレフィン系エラストマー、ポリアミド系エラストマー、ポリエステル系エラストマー等の各種熱可塑性エラストマー、天然ゴム、イソプレンゴム、シリコーンゴム、ブタジエンゴム、スチレンーブタジエンゴムのような各種ゴム材料等の弾性材料、あるいはこれらのうちの任意の２以上を組み合わせたもの（ブレンド、積層体等）、さらに、ポリエチレン、ポリプロピレン、エチレンープロピレン共重合体等のポリオレフィン、あるいは、エチレンー酢酸ビニル共重合体、架橋型エチレンー酢酸ビニル共重合体、ポリエステル、ポリ塩化ビニル、ポリウレタン、ポリアミド等の高分子材料を配合したものが挙げられる。
【００１８】
薬剤排出ポート３の筒状部材３ａおよびキャップ部材３ｂならびに薬剤注入ポート４の筒状部材４ａおよびキャップ部材４ｂの構成材料としては、その用途や機能に応じた条件、例えば硬度、強度、靭性、耐薬品性、透明性、その他の条件を有する材料が用いられ、比較的硬質な材料で構成されているのが好ましく、これらの材料としては、例えば、ポリエチレン、ポリプロピレン等のポリオレフィン（低密度〜高密度）、ポリ塩化ビニル（軟質〜硬質）、ポリカーボネート、ポリスチレン、ポリメチルメタクリレート、ポリエステル（ＰＥＴ、ＰＢＴ等）、ポリアミド、ＡＢＳ樹脂、ＡＳ樹脂、ポリアセタール、ポリフェニレンサルファイド、フッ素系樹脂等が挙げられ、前述したような条件に応じ、また、筒状部材３ａおよびキャップ部材３ｂ、筒状部材４ａおよびキャップ部材４ｂと容器本体２との固定手段を考慮して適宜選択して用いることができる。
【００１９】
この実施例の医療用複室容器１では、図１に示すように、仕切用弱シール部９は、第１の弱シール部９ａと第１の弱シール部９ａの両側に設けられた第１の弱シール部より剥離しにくい第２の弱シール部９ｂとを備えている。
このような構成により、第２の薬剤室２２を押圧することにより、第２の弱シール部９ｂが剥離することなくもしくは第２の弱シール部９ｂの剥離に先だって、第１の弱シール部９ａが剥離する。そして、剥離部（剥離した第１の弱シール部）より液体等の流体（具体的には、薬液および気体）が第１の薬剤室２１に流入する。この液体等の流体の流入により第１の薬剤室２１が押し広げられるとともに第２の薬剤室２２の押圧の継続により第１の薬剤室の内圧も上昇する。液体等の流体の流入時には、第１の弱シール部９ａが剥離部となり、弱シール部９の全体が剥離しない。このため、第１の薬剤室２１はその容量があまり増加しない状態において、液体等の流体の流入を受けることになる。よって、第１の薬剤室２１は確実に押し広げられ、これに従って、連通阻害用弱シール部１１が確実に剥離する。また、第１の薬剤室２１を押圧することにより第１の弱シール部９ａとともにもしくは若干遅れて連通阻害用弱シール部１１が剥離する。
よって、いずれの薬剤室を押圧しても、第１の薬剤室と第２の薬剤室との連通操作および連通阻害用弱シール部の剥離操作を一方の薬剤室を押圧するという単一の作業により行うことができる。
【００２０】
この実施例の医療用複室容器１では、仕切用弱シール部９は、図１に示すように、容器本体２を横方向全体に横切るように形成されている。また、仕切用弱シール部９は、容器本体２のシート材を帯状に融着することにより形成されている。
第１の弱シール部９ａは、図１に示すように、容器本体２の中央付近に設けられ、その両側から容器本体２の側辺もしくは側辺付近まで第２の弱シール部９ｂが形成されている。この実施例において第１の弱シール部９ａは、連通阻害用弱シール部１１の上方、具体的には、鉛直上方に設けられていることが好ましい。また、第２の弱シール部９ｂは、図示するように連通阻害用弱シール部１１の上方となる位置の両側に設けられていることが好ましい。このような位置に連通阻害用弱シール部が設けられていることにより、第１の弱シール部が剥離した際、連通阻害用弱シール部が形成されている部分が大きく膨らむため連通阻害用弱シール部が剥離し易くなる。本発明の実施例において、第１の弱シール部９ａと、第２の弱シール部９ｂとは、両側辺部を除き、ほぼ同じ幅となるように形成されている。また、この実施例では、第２の弱シール部９ｂの両側部は、幅広に形成されている。仕切用弱シール部９（本発明の実施例では第２の弱シール部９ｂ）の両端部には、図１に示すように、実質的に剥離することができないシール部１２が設けられていることが好ましい。なお、第１の弱シール部もしくは第２の弱シール部は、帯状に形成されていなくてもよい。また、この実施例では、排出ポートおよび連通阻害用弱シール部が容器本体２の横方向の中央付近に設けられているため、それに対応して、第１の弱シール部９ａも容器本体２の横方向の中央付近に設けられている。排出ポートおよび連通阻害用弱シール部が容器本体２の一方の側辺側に寄った位置に設けられる場合には、それに対応して、第１の弱シール部も容器本体の横方向の中央付近に一方の側辺側に寄った位置に設けることが好ましい。
【００２１】
本発明の実施例において、第１の弱シール部９ａのシール強度は、第２の弱シール部９ｂのシール強度より小さいものとなっている。
第１の弱シール部９ａは、本発明の実施例では、容器本体２の第１の薬剤室２１もしくは第２の薬剤室２２の部分を手で押圧し、第１の薬剤室２１もしくは第２の薬剤室２２の内圧を高めること、また、医療用複室容器１をハンガーに掛けた状態で容器本体２の第１の薬剤室２１もしくは第２の薬剤２２部分を手で絞ることにより、第１の薬剤室２１もしくは第２の薬剤室２２の内圧を高めたりすることにより剥離する程度のシール強度を備えている。これにより、特別の器具等を用いず、簡単な作業で仕切用弱シール部９による遮断を解除し、第１の薬剤室２１と第２の薬剤室２２の薬剤同士を混合することができる。
また、第２の弱シール部９ｂは、上述した方法により第１の薬剤室２１もしくは第２の薬剤室２２の内圧を、第１の弱シール部の剥離可能内圧以上に高めることにより剥離する程度のシール強度を有している。また、第２の弱シール部９ｂは、第１の薬剤室２１もしくは第２の薬剤室２２を押圧することにより実質的に剥離しない程度のシール強度を備えているものであってもよい。
【００２２】
具体的には、第１の弱シール部のシール強度（初期の剥離強度）は、０．１〜５Ｎ／１０ｍｍ、特に、０．３〜３Ｎ／１０ｍｍであることが好ましい。シール強度がこの範囲内であれば、輸送や保管中等に誤って第１の弱シール部が剥離することがなく、また、第１の弱シール部を剥離する作業も容易である。第２の弱シール部のシール強度（初期の剥離強度）は、３Ｎ／１０ｍｍ以上、特に、４Ｎ／１０ｍｍ以上であることが好ましい。
第１の弱シール部と第２の弱シール部とのシール強度差（初期の剥離強度差）は、第１の弱シール部のシール強度（初期の剥離強度）より、３〜３０Ｎ／１０ｍｍ、特に、４〜２５Ｎ／１０ｍｍ大きいものであることが好ましい。このようにすることにより、いずれかの薬剤室を押圧した際、仕切用弱シール部の全体が一気に剥離することを抑制し、少なくとも第１の弱シール部からの剥離を確実なものとできる。
【００２３】
なお、シール強度の具体的な測定方法としては、以下のようにして行うことができる。
医療用複室容器を各測定対象シール部を含む部分を容器の幅方向に１０ｍｍの長さに切断して、それぞれのシール強度部分に含まれる切断片を引張速度３００ｍｍ／分で測定した値の各シール強度部分の平均値である。
また、第１の弱シール部は、第１の薬剤室もしくは第２の薬剤室を押圧することにより剥離可能なものであり、かつ第２の弱シール部は第１の薬剤室もしくは第２の薬剤室を押圧することにより実質的に剥離しないものであるとともに引き剥がし可能なものであってもよい。具体的に、本発明の医療用複室容器の第１の弱シール部は、第１の薬剤室もしくは第２の薬剤室を押圧することにより剥離可能なシール強度により形成されており、第２の弱シール部は、第１の薬剤室もしくは第２の薬剤室を押圧することにより剥離せずかつ引き剥がし可能なシール強度で形成されていることが好ましい。このような構成を有することにより、第１の弱シール部剥離操作時に、第１の薬剤室が大きく膨らむため、連通阻害用弱シールを該操作とほぼ同時により確実に剥離させることができる。また、第２の弱シール部は、引き剥がし可能であるため、連通阻害用弱シール部を剥離させた後、剥離していない第２の薬剤室を手指等により引き剥がすことができ、容器本体内の薬剤を確実に排出できるものとなる。また、バッグ表面の目盛り（図示せず）を単室容器と同等の精度で読みとることが可能となる。
【００２４】
また、容器本体２の第１の薬剤室２１の横方向の長さ（Ｌｂ）に対する第１の弱シール部９ａの横方向の長さ（Ｌａ）の比（Ｌａ／Ｌｂ）は、０．２〜０．８であることが好ましい。特に、０．３〜０．７であることが好ましい。
また、医療用複室容器１は、連通阻害用弱シール部１１の上端と薬剤排出ポートの上端との間の長さ（Ｌｃ：最短距離）に対する第１の弱シール部９ａの横方向の長さ（Ｌａ）の比（Ｌａ／Ｌｃ）は、０．２〜３であることが好ましく、更に０．５〜２であることが好ましい。特に、０．７〜１．５であることが好ましい。
Ｌａ／Ｌｃが０．２より大きいものであれば第１の弱シール部が剥離しにくくなることもなく、３より小さいものであれば第１の弱シール部が剥離した際、連通阻害用弱シール部の剥離も確実となる。また、剥離阻害用弱シール部１１の幅（帯幅）は、２〜２０ｍｍ、特に、４〜１２ｍｍであることが好ましい。
【００２５】
医療用複室容器の具体的なサイズとしては、例えば、以下のようなものが考えられる。
第２の薬剤室２２の内側横幅１９０ｍｍ、仕切用弱シール部９とシール部５間の距離１３５ｍｍ、第２の薬剤室に充填された薬液（具体的には、ブドウ糖電解質液）３５０ｍｌ、充填された空気量６０ｃｃ、仕切用シール部の幅（帯幅）１５ｍｍ、第１の薬剤室２１の内側横幅１９０ｍｍ、仕切用弱シール部９とシール部６の傾斜部の中間部間の距離１１０ｍｍ、第１の薬剤室に充填された薬液（具体的には、アミノ酸液）１５０ｍｌ、充填された空気量１５ｃｃ、連通阻害用弱シール部１１の幅（帯幅）８ｍｍ、Ｌａ１００ｍｍ、Ｌｂ１８０ｍｍ、Ｌｃ５０ｍｍ、予備容量（弱シール部を剥離し１室とした状態の予備容量）８００ｍｌ
弱シール部は、熱シールにより形成することが好ましい。具体的には、加熱プレスにより行うことが好ましく、金型の温度は、容器本体２の形成材料の溶融温度より１０℃以上低い温度で行うことにより形成することができる。
仕切用弱シール部は、上述したものに限定されるものでなく、第１の弱シール部と、第１の弱シール部より剥離しにくい第２の弱シール部とを備えるものであればいかなる構成のものであってもよい。
【００２６】
また、仕切用弱シール部９としては、図２に示すように、第２の弱シール部９ｂが第１の弱シール部９ａより幅が広いものとすることにより、第２の弱シール部が第１の弱シール部より剥離しにくいものとなっていてもよい。図２に示す仕切用シール部９は、小幅な帯状の第１の弱シール部９ａとその両側に設けられた第２の弱シール部９ｂと、仕切用シール部９の両端部に設けられた強シール部１２を備えている。また、第１の弱シール部と第２の弱シール部との境界部は、第２の弱シール部側から第１の弱シール部側に向かって徐々に幅狭になっていてもよい。このような仕切用弱シール部の第１の弱シール部のシール強度と第２の弱シール部のシール強度はほぼ同じもしくは第１のシール部のシール強度が第２のシール部のシール強度より小さいものであることが好ましい。
また、第１の弱シール部９ａは、図３に示すように、第１の薬剤室２１に向かって突出するような形状となっているものであってもよい。具体的に、第１の弱シール部９ａは、第１の薬剤室２１側に向かって屈曲もしくは湾曲する変形部１９を備えている。このような構成を有することにより、第１の薬剤室２１が押し広げられる際もしくは第１の薬剤室の内圧が高くなった時に、変形部１９の先端での剥離開始が確実に生じるため、第１の弱シール部がより剥離し易くなる。
【００２７】
そして、本発明の医療用複室容器１は、図１に示すように、薬剤排出ポート３の上方を取り囲むように形成された連通阻害用弱シール部１１を備えている。この連通阻害用弱シール部１１により、第１の薬剤室２１から隔離された第３室２３が形成されている。この第３室２３は、空室となっている。しかし、第３室には、所定の液体（例えば、生理食塩水）が入れられていてもよい。また、第３室２３は、乾燥状態でもよいが、滅菌のための微量の水分が充填されていてもよい。さらに、連通阻害用弱シール部１１に若干の水蒸気や薬剤が通る通路を形成し、第１の薬剤室２１と上記のようなレベルで連通するものであってもよい。連通阻害用弱シール部１１は、シート材を帯状に熱シール（熱融着、高周波融着、超音波融着等）することにより形成することができる。
連通阻害用弱シール部１１は、図１に示す実施例では、反転した台形状に形成されている。また、連通阻害用弱シール部は、短辺が上側となるＵ字形状、排出ポートが頂点となる三角形状、排出ポートが底辺となる三角形状、四角形状等の多角形状、略半円形状、略半楕円形状、あるいは反転したＵ字状であってもよい。多角形上の場合、角は丸められていることが好ましい。
【００２８】
また、連通阻害用弱シール部は、図１に示すように、第１の弱シール部９ａの下方に設けられていることが好ましい。第１の弱シール部の下方に設けられていることにより、連通阻害用弱シール部は、仕切用シール部剥離操作時においてより確実に剥離し易くなる。
また、連通阻害用弱シール部の先端部は、その他の部分より剥離し易くなっていてもよい。このような連通阻害用弱シール部１１ａの先端部としては、排出側ポート３側に凹む形状となっているものが挙げられる。このような構成により、第１の薬剤室もしくは第２の薬剤室を押圧することにより押圧力が先端部に集中するため連通阻害用弱シール部が剥離し易くなる。具体的に、連通阻害用弱シール部は、図４に示すように、排出ポート側に屈曲もしくは湾曲するように形成されていることが好ましい。また、このような連通阻害用弱シール部１１ｂとしては、図５に示すように、先端部がその他の部分より幅が狭く形成されたものが挙げられる。また、先端部のシール強度をその他の部分より小さくしたものであってもよい。
【００２９】
また、連通阻害用弱シール部１１のシール強度は、第１の弱シール部９ａのシール強度と同等、若干大きいもしくは若干小さいものであり、かつ第２の弱シール部９ｂのシール強度より小さくなっていることが好ましい。このようなものであれば、第１の弱シール部が剥離されない状態にて薬液が投与されることがなく、かつ、容易な操作で投与準備を行うことができる。特に、連通阻害用弱シール部１１のシール強度は、第１の弱シール部９ａのシール強度より若干大きくかつ第２の弱シール部９ｂのシール強度より小さいものであることが好ましい。また、連通阻害用弱シール部は、第１の薬剤室２１を押圧することにより、第１の弱シール部９ａの剥離とほぼ同時もしくは続いて連通阻害用弱シール部１１が剥離するものであることが好ましい。このようにすることにより、連通阻害用弱シール部１１が第１の弱シール部９ａより先に剥離することがない。
【００３０】
また、医療用複室容器は、第２の薬剤室２２を押圧することにより、第１の弱シール部９ａの剥離とほぼ同時もしくはシール部９ａの剥離に続いて連通阻害用弱シール部１１が剥離するものであってもよい。このような連通阻害用弱シール部１１は、例えば、上述したように、連通阻害用弱シール部のシール強度が、第１の弱シール部と同等もしくは第１の弱シール部９ａのシール強度より若干強くすることにより構成することとができる。
連通阻害用弱シール部のシール強度（初期の剥離強度）は、１〜２５Ｎ／１０ｍｍ、特に、２〜２０Ｎ／１０ｍｍであることが好ましい。
【００３１】
また、第１の薬剤室２１もしくは第２の薬剤室２２を押圧したとき、強い剥離力がかかる部分に連通阻害用弱シール部１１の上端側部分、特に、上端部が形成されていることが好ましい。
このような医療用複室容器は、連通阻害用弱シール部１１の上端から薬剤排出ポート３の上端間の長さ（距離）Ｌｃに対する第１の弱シール部９ａの長さＬａの比（Ｌａ／Ｌｃ）は、０．２〜３であることが好ましく、特に、０．５〜２であることが好ましい。このような構成により、第１の薬剤室２１もしくは第２の薬剤室２２を押圧したとき、大きな剥離力がかかる位置付近に連通阻害用弱シール部１１の上端側部分が位置するため、連通阻害用弱シール部を容易に剥離することができると考えられる。
連通阻害用弱シール部１１の上端から薬剤排出ポート３の上端間の長さＬｃは、連通阻害用弱シール部１１の上端から薬剤排出ポート３の中心軸に対して直交する直線の長さである。
【００３２】
本発明の医療用複室容器では、上述した関係において、第１の弱シール部の長さＬａが短い場合は、図１に示す医療用複室容器１のように連通阻害用弱シール部の上端と薬剤排出ポートの上端との間の長さＬｃは短く（連通阻害用弱シール部の縦方向の長さが短く）、一方、後述する図６に示す医療用複室容器２０のように、第１の弱シール部の長さＬａが長い場合は、連通阻害用弱シール部の上端と薬剤排出ポートの上端との間の長さＬｃは長い（連通阻害用弱シール部の縦方向の長さが長い）ことが好ましい。
仕切用弱シール部９と連通阻害用弱シール部１１の形成方法としては、特に限定されず、通常使用されている熱シール用加熱金型（熱シールバー）等を用いて行うことができる。また、高圧蒸気滅菌等の熱滅菌時に仕切用弱シール部９と連通阻害用弱シール部１１の部位にブロッキングを生じさせる方法を用いても良い。
【００３３】
以下、医療用複室容器１の作製方法について説明する。なお、この方法に限定されるものではない。
最初に、軟質合成樹脂により形成したチューブ体を準備する。そして、このチューブ体に、部分的未シール部を有する上端側シール部５、部分的未シール部を２箇所（連通阻害用弱シール部１１で囲まれた空間に連通するものと、第１の薬剤室２１に連通するもの）有する下端側シール部６、仕切用シール部９、連通阻害用弱シール部１１を形成して、容器本体２を作成する。続いて、下端側シール部６の部分的未シール部に排出ポート３を挿入し固着する。
そして、上端側シール部５の部分的に未シール部に注入ポート４の筒状部材４ａを固着し、筒状部材４ａを介して、第２の薬剤を注入し、筒状部材４ａが上方となるように容器を固定した状態にて、筒状部材４に弾性部材４ｃを装着したキャップ部材４ｂを固着し封止する。下端側シール部６には、連通阻害用弱シール部１１で囲まれた空間に連通する部分的未シール部に排出ポート３の筒状部材３ａを固着し、筒状部材３ａに弾性部材３ｃを装着したキャップ部材３ｂを固着し封止する。次いで、第１の薬剤室２１に連通した部分的未シール部より第１の薬剤室へ第２の薬剤を注入後直ちに該未シール部を熱シールにより封止する。
【００３４】
このようにして、図１に示すような、薬剤が充填された医療用複室容器が作成される。なお、第１の薬剤の注入および第１の薬剤室の封止作業は、第２の薬剤の注入および第２の薬剤室の封止作業前に行うものであってもよい。
第１の弱シール部９ａと第２の弱シール部９ｂを形成する方法としては、仕切用弱シール部９の熱シール条件を第２のシール強度９ｂとなる部分のみ若干強いものとすることもしくは第２の弱シール部９ｂとなる部分のみ再度の熱処理を行うことなどにより行うことができる。具体的には、一旦、幅方向全域が仕切用弱シール部の第１の弱シール部のシール強度となるようなシール条件（温度、圧力、時間を調整）で、加熱金型を用いて熱シールを行い、次いで、第２の弱シール部となる領域を所望のシール強度となるようなシール条件（温度、圧力、時間を調整）で、再び加熱金型を用いて熱処理を行うことによりシール強度の強い部分を形成することができる。
【００３５】
また、医療用複室容器１の作製は、以下のように行ってもよい。
最初に、軟質合成樹脂により形成したチューブ体を準備する。そして、このチューブ体に、部分的未シール部を有する上端側シール部５、部分的未シール部を有する下端側シール部６、仕切用弱シール部９を有する容器本体２を作製する。
そして、下端側シール部６の部分的未シール部に排出ポート３の筒状部材３ａを固着し、筒状部材３ａを介して、第１の薬剤を注入し、筒状部材３ａが上方になるように容器を固定した状態にて、連通阻害用弱シール部１１を形成させた後、筒状部材３に弾性部材３ｃおよびキャップ部材３ｂを固着し封止する。そして、上端側シール部５の部分的未シール部に注入ポート４の筒状部材４ａを固着し、筒状部材４ａを介して、第２の薬剤を注入し、筒状部材４ａが上方となるように容器を固定した状態にて、筒状部材４に弾性部材４ｃおよびキャップ部材４ｂを固着し封止する。このようにして、図１に示すような、薬剤が充填された医療用複室容器が作成される。なお、連通阻害用弱シール部１１の形成は、排出ポートの封止後に行ってもよい。また、第１の薬剤の注入は、下端側シール部６の部分的未シール部より行うものとし、注入後に排出ポートを固着するものとしてもよい。さらに、第２の薬剤の注入および第２の薬剤室の封止作業は、第１の薬剤の注入、連通阻害用弱シール部１１を形成および第１の薬剤室の封止作業前に行うものであってもよい。第１の弱シール部９ａと第２の弱シール部９ｂを形成する方法としては、上述した方法により行うことが好ましい。
【００３６】
次に、本発明の医療用複室容器１の使用方法について説明する。
医療用複室容器１の第１の薬剤室２１側の外面部分を手で押圧することもしくは医療用複室容器１を吊り下げるための孔２５を介してハンガー等に掛けた状態で容器本体２の第１の薬剤室２１側の部分を手で絞ることにより、第１の薬剤室２１の内圧を高めると、第１の弱シール部９ａが剥離して、第１の薬剤室内の第１の薬剤と第２の薬剤室内の第２の薬剤とが混合するとともに、同時もしくは若干遅れて、連通阻害用弱シール部１１の弱シールも剥離する。そして、第２の弱シール部は、連通阻害用弱シール部１１とほぼ同時もしくは遅れて剥離する。また、第２の弱シール部９ｂが完全に剥離しない場合において、必要であれば、薬剤室をさらに押圧することによりもしくは手指等で剥離させる。その後、薬剤排出ポート３に瓶針等（図示せず）を刺し込み、混合薬剤を排出させる。なお、特に上述した使用方法に限定されず、瓶針等は仕切用弱シール部９および連通阻害用弱シール部１１を剥離させる前に、予め薬剤排出ポート３に刺し込んでおいても良い。
【００３７】
また、別の方法としては、医療用複室容器１の第２の薬剤室２２側の外面部分を手で押圧することもしくは医療用複室容器１を吊り下げるための孔２５を介してハンガー等に掛けた状態で容器本体２の第１の薬剤室２２側の部分を手で絞ることにより、第１の薬剤室２２の内圧を高めると、第１の弱シール部９ａが剥離して、第２の薬剤室内の第２の薬剤と第１の薬剤室内の第１の薬剤とが混合するとともに、同時もしくは若干遅れて、連通阻害用弱シール部１１の弱シールも剥離する。第２の弱シール部は、連通阻害用弱シール部１１とほぼ同時もしくは遅れて剥離する。また、第２の弱シール部９ｂが完全に剥離しない場合において、必要であれば、薬剤室をさらに押圧することによりもしくは手指等で剥離させる。その後、薬剤排出ポート３に瓶針等（図示せず）を刺し込み、混合薬剤を排出させる。なお、特に上述した使用方法に限定されず、瓶針等は仕切用弱シール部９および連通阻害用弱シール部１１を剥離させる前に、予め薬剤排出ポート３に刺し込んでおいても良い。
以上、本発明の医療用複室容器を図示の各実施形態に基づいて説明したが、本発明はこれらに限定されるものではなく、各部の構成は、同様の機能を発揮し得る任意の構成と置換することができ、また、任意の構成が付加されていてもよい。
【００３８】
また、医療用複室容器としては、図６に示すような医療用複室容器２０であってもよい。上述した実施例の医療用複室容器１とこの実施例の医療用複室容器２０との相違は、仕切用弱シール部の形態および連通阻害用弱シール部の形態のみであり、その他の構成は同じであり、上述した説明を参照するものとする。
この実施例の複室容器２０では、複室容器１における仕切用弱シール部９に比べて、図６に示すように、第１の弱シール部９ａ部分の容器本体２の横方向の長さが長く、両サイドにある第２の弱シール部９ｂの容器本体２の横方向の長さが短いものとなっている。また、この実施例の複室容器２０では、第１の弱シール部の長さＬａおよび連通阻害用弱シール部３１の上端と薬剤排出ポート３の上端との間の長さＬｃが長いものとなっている。また、複室容器１における連通阻害用弱シール部に比べて、連通阻害用弱シール部３１の先端は、仕切用弱シール部９に近接した状態となっている。この医療用複室容器２０のように、第１の弱シール部の長さＬａが長い場合は、連通阻害用弱シール部３１の上端と薬剤排出ポート３の上端との間の長さＬｃは長い（連通阻害用弱シール部の縦方向の長さが長い）ことが好ましい。言い換えれば、この医療用複室容器２０のように、連通阻害用弱シール部３１の上端と薬剤排出ポート３の上端との間の長さＬｃが長い（連通阻害用弱シール部の縦方向の長さが長い）場合には、第１の弱シール部９ａの長さＬａを長いものとしてもよい。
【００３９】
また、医療用複室容器としては、図７に示すような医療用複室容器３０であってもよい。上述した実施例の医療用複室容器１とこの実施例の医療用複室容器３０との相違は、仕切用弱シール部の形態のみであり、その他の構成は同じであり、上述した説明を参照するものとする。
この実施例の医療用複室容器３０の仕切用弱シール部９は、第１の弱シール部９ａと弱シール部９ａの両側ではなく片側にのみ第２の弱シール部９ｂが設けられている。そして、この実施例の医療用複室容器３０では、仕切用弱シール部９における第１の弱シール部９ａは、容器本体２の中央付近ではなく、容器本体２の中央付近から側辺側にずれた位置に設けられてる。また、この実施例の医療用複室容器３０では、第１の弱シール部９ａは、連通阻害用弱シール部１１の鉛直方向の上方とならない位置に設けられている。
このようなものであっても、第２の薬剤室２２を押圧することにより、第２の弱シール部９ｂが剥離することなくもしくは第２の弱シール部９ｂの剥離に先だって、第１の弱シール部９ａが剥離する。そして、剥離部（剥離した第１の弱シール部）より液体等の流体が第１の薬剤室２１に流入する。この液体等の流体の流入により第１の薬剤室２１が押し広げられるとともに第２の薬剤室２２の押圧の継続により第１の薬剤室の内圧も上昇する。液体等の流体流入時には、第１の弱シール部９ａが剥離部となり、弱シール部９の全体が剥離しない。このため、第１の薬剤室２１はその容量があまり増加しない状態において、液体等の流体の流入を受けることになる。よって、第１の薬剤室２１は確実に押し広げられ、これに従って、連通阻害用弱シール部１１が確実に剥離する。
よって、この実施例の医療用複室容器３０においても、第２の薬剤室２２を押圧することにより、第１の弱シール部９ａの剥離とほぼ同時もしくは若干遅れて連通阻害用弱シール部１１が剥離するので、薬剤室を押圧するという単一の作業により、第１の薬剤室と第２の薬剤室間の連通と連通阻害用弱シール部の剥離を行うことができる。
【図面の簡単な説明】
【００４０】
【図１】図１は、本発明の医療用複室容器の一実施例の平面図である。
【図２】図２は、本発明の他の実施例の医療用複室容器の仕切用弱シール部付近を説明するための説明図である。
【図３】図３は、本発明の他の実施例の医療用複室容器の仕切用弱シール部付近を説明するための説明図である。
【図４】図４は、本発明の他の実施例の医療用複室容器の連通阻害用弱シール部付近を説明するための説明図である。
【図５】図５は、本発明の他の実施例の医療用複室容器の連通阻害用弱シール部付近を説明するための説明図である。
【図６】図６は、本発明の医療用複室容器の他の実施例の平面図である。
【図７】図７は、本発明の医療用複室容器の他の実施例の平面図である。
【符号の説明】
【００４１】
１  医療用複室容器
２  容器本体
３  薬剤排出ポート
４  薬剤注入ポート
５，６  シール部
９  仕切用弱シール部
９ａ  第１の弱シール部
９ｂ  第２の弱シール部
１１  連通阻害用弱シール部
２１  第１の薬剤室
２２  第２の薬剤室
【図１】
2006043061.tif 000003
【図２】
2006043061.tif 000004
【図３】
2006043061.tif 000005
【図４】
2006043061.tif 000006
【図５】
2006043061.tif 000007
【図６】
2006043061.tif 000008
【図７】
2006043061.tif 000009